(57)【要約】  閉じられた空間の入口に通常配置されるタイプの抗菌性マットであって、閉じられた空間に入る者によって踏まれるのに適した抗菌性マットについて開示されている。この抗菌性マットは、紫外線（ＵＶ）放射を透過することのできる平面状のカバーと、ＵＶ放射を生成する手段とを具えており、このＵＶ放射を生成する手段が、そのカバーによって隠されている。【選択図】図１
2018510753.tif 000002
【特許請求の範囲】
【請求項１】
閉じられた空間の入口に通常配置されるタイプの抗菌性マットであって、前記閉じられた空間に入る者によって踏まれるのに適した抗菌性マットにおいて、紫外線（ＵＶ）放射を透過することができる平面状のカバー（１）と、ＵＶ放射を生成する手段とを具え、前記ＵＶ放射を生成する手段が前記カバー（１）によって隠されており、前記ＵＶ放射を生成する手段がＬＥＤ（２）を具え、前記ＵＶ放射を生成する手段が運動センサを組み込んでいることを特徴とする抗菌性マット。
【請求項２】
請求項１に記載の抗菌性マットにおいて、前記ＵＶ放射を生成する手段が、ＵＶＣ放射を発することを特徴とする抗菌性マット。
【請求項３】
請求項１に記載の抗菌性マットにおいて、前記カバー（１）が、石英結晶から作られていることを特徴とする抗菌性マット。
【請求項４】
請求項１に記載の抗菌性マットにおいて、前記ＵＶ放射を生成する手段が、電池を組み込んでいることを特徴とする抗菌性マット。
【請求項５】
請求項１に記載の抗菌性マットにおいて、前記ＵＶ放射を生成する手段が、外部の配電網に接続されていることを特徴とする抗菌性マット。
【請求項６】
請求項１に記載の抗菌性マットにおいて、前記平面状のカバー（１）のエッジ周りには、面取りを施したゴムストリップ（１１）があることを特徴とする抗菌性マット。
【請求項７】
請求項１に記載の抗菌性マットにおいて、前記カバー（１）は、ユーザの足の正確な位置および配置のための表示を有することを特徴とする抗菌性マット。
【請求項８】
請求項７に記載の抗菌性マットにおいて、前記カバー（１）は、２つの足形のスクリーンプリント（１２）を有することを特徴とする抗菌性マット。
【請求項９】
請求項１に記載の抗菌性マットにおいて、前記ＵＶ放射を生成する手段が、タイマ（２１）を組み込んでいることを特徴とする抗菌性マット。
【請求項１０】
請求項３に記載の抗菌性マットにおいて、前記ＵＶ放射を生成する手段が、前記ＬＥＤ（２）が点灯している時間を示すパイロットランプを組み込んでいることを特徴とする抗菌性マット。
【請求項１１】
請求項１に記載の抗菌性マットにおいて、前記ＵＶ放射を生成する手段が、前記カバー（１）によって支持された面の大きさを読み取ることのできる光電センサを組み込んでいることを特徴とする抗菌性マット。
【請求項１２】
請求項１に記載の抗菌性マットにおいて、前記抗菌性マットが、床の中に埋め込まれているか、または挿入されていることを特徴とする抗菌性マット。
【請求項１３】
請求項１に記載の抗菌性マットにおいて、前記抗菌性マットが、家具に埋め込まれているか、または挿入されていることを特徴とする抗菌性マット。
【発明の詳細な説明】
【技術分野】
【０００１】
本特許出願の目的は、これまで使用されている技術に対して顕著な技術革新および利点を組み込んだ抗菌性マットを登録することにある。
【０００２】
より詳細には、本発明は、その特有な構成により、ＵＶ放射技術の使用を可能にし、任意のタイプの閉じられた空間または居住地に入る者の靴で運ばれる細菌の量を減らす抗菌性マットの改良を提案するものである。
【背景技術】
【０００３】
望まない微生物および細菌の繁殖を防ぐ方法としてＵＶ放射を使う可能性や飲料水、食物、携帯用水、換気等ための殺菌手段および消毒手段としてのその利用は、現在の技術水準において既に知られている。
【０００４】
この技術は、人の健康に何らかのリスクを及ぼす廃棄物または副生成物がないといった、いくつかの利点を有する。
【０００５】
また、家屋、住居または閉じられた空間の入口にある従来のマットも知られており、そこでは、中に入ろうとする人々が、入る前に立ち止まって靴を拭く。
【０００６】
その他の場合では、人々が靴を脱いだ後に靴を置くクローゼットを持つのが一般的である。
【０００７】
いずれにせよ、通常の使用により、そのような行動が必要とされる可能性があることを考慮して、靴が細菌を運ぶのを防ぐために、靴に適切な殺菌手段および消毒手段を適用することが重要である。
【０００８】
本発明は、ユーザにとってできる限り簡単快適な方法で、本発明のすべての機能および利点を有するＵＶ放射の技術を使用して、靴に適当な殺菌手段および消毒手段を適用することを可能にするため、現状の問題の解決に寄与する。
【発明の概要】
【０００９】
本発明は、閉じられた空間の入口に通常配置されるタイプの抗菌性マットであって、その閉じられた空間に入る者によって踏まれるのに適した抗菌性マットを提供する目的で開発されており、この抗菌性マットは、ＵＶ放射により透過され得る平面状のカバーと、ＵＶ放射を生成する手段とを具えており、ＵＶ放射を生成する手段が、そのカバーによって隠されていることを特徴とする。
【００１０】
好ましくは、抗菌性マットにおいて、ＵＶ放射を生成する手段が、ＵＶＣ放射を発する。
【００１１】
好ましくは、抗菌性マットにおいて、ＵＶ放射を生成する手段が、ＬＥＤ（発光ダイオード）を具える。
【００１２】
代替的に、抗菌性マットにおけるカバーが、石英結晶から作られている。
【００１３】
代替的に、抗菌性マットにおいて、ＵＶ放射を生成する手段が、電池を組み込んでいる。
【００１４】
代替的に、抗菌性マットにおいて、ＵＶ放射を生成する手段が、外部の配電網に接続されている。
【００１５】
好ましくは、抗菌性マットにおいて、平面状のカバーのエッジ周りは、面取りを施したゴムストリップを有している。
【００１６】
好ましくは、抗菌性マットにおけるカバーは、ユーザの足の正確な位置および配置のための表示を有する。
【００１７】
好ましくは、抗菌性マットのカバーは、スクリーンプリントされた２つの靴形がある。
【００１８】
代替的に、抗菌性マットにおいて、ＵＶ放射を生成する手段が、タイマを組み込んでいる。
【００１９】
代替的に、抗菌性マットにおいて、ＵＶ放射を生成する手段が、ＬＥＤが点灯している時間を示すパイロットランプを組み込んでいる。
【００２０】
代替的に、抗菌性マットにおいて、ＵＶ放射を生成する手段が、運動センサを組み込んでいる。
【００２１】
代替的に、抗菌性マットにおいて、ＵＶ放射を生成する手段が、カバーによって支持された面の大きさを読み取ることのできる光電センサを組み込んでいる。
【００２２】
好ましくは、抗菌性マットが、床の中に埋め込まれているか、または挿入されている。
【００２３】
代替的に、抗菌性マットが、家具に埋め込まれているか、または挿入されている。
【００２４】
本発明により、ユーザにとってできる限り簡単快適な方法で、本発明のすべての機能および利点を有するＵＶ放射の技術を使用して、靴に適当な殺菌手段および消毒手段を適用することが可能となる。
【００２５】
この抗菌性マットのその他の特徴および利点は、非限定的な例によって添付の図面に示された、非限定的な好ましい実施形態の説明を鑑みることで明らかとなるであろう。
【図面の簡単な説明】
【００２６】
【図１】図１は、本発明の抗菌性マットの好ましい実施形態の概略的な斜視図である。
【図２】図２は、本発明の抗菌性マットの別の好ましい実施形態の概略的な斜視図である。
【発明を実施するための形態】
【００２７】
図１に概略的に示すように、本発明のタイプの抗菌性マットは、閉じられた空間の入口に通常配置されるタイプの抗菌性マットであり、その閉じられた空間に入る者によって踏まれるのに適している。
【００２８】
本発明の抗菌性マットは、ＵＶ放射を透過させる平面状のカバー（１）と、ＵＶ放射を生成する手段とを具えており、このＵＶ放射を生成する手段が、カバー（１）により隠されている。
【００２９】
この好ましい実施形態において、当該カバーは、石英結晶から作られており、ＵＶ放射を生成するための手段が、ＵＶＣ放射を発する。
【００３０】
平面状のカバー（１）のエッジ周りには、面取りを施したゴムストリップ（１１）があり、ユーザがつまずくのを防いでいる。カバー（１）は、使用される閉じられた空間に応じた適当な寸法を有する。
【００３１】
ＵＶ放射を生成する手段は、カバー（１）により隠されていると仮定して、図中において破線で示す２つのＬＥＤ（２）を具え、それらＬＥＤは、カバー（１）により隠された面に沿って均等に配置されている。例えば、この好ましい実施形態において、ＵＶ放射を生成する手段には、ユーザのそれぞれの靴に対して３０個のＬＥＤ（２）ユニットが配置されており、それらＬＥＤは、それぞれ１．５ｍＷの放射強度、すなわち各靴につき合計４５ｍＷの放射強度で、２５４ｎｍの波長のＵＶＣ放射を発する。
【００３２】
本発明の抗菌性マットは、カバー（１）上に、ユーザの足の正確な位置および配置の表示がある。この好ましい実施形態において、図２に概略的に示すように、カバー（１）は、２つの靴形のスクリーンプリント（１２）を有し、それは、ユーザの足の正確な位置を表示しており、ＬＥＤ（２）のちょうど上に位置している。
【００３３】
この好ましい実施形態において、ＵＶ放射を生成する手段には、１２Ｖの充電可能なリチウム電池等、電池が組み込まれている。
【００３４】
別の好ましい実施形態において、ＵＶ放射を生成する手段は、外部の配電網に接続され得る。
【００３５】
ＵＶ放射を生成する手段は、２つのＬＥＤ（２）に加えて、ＵＶＣ放射が投射される時間を調整するタイマ（２１）と、ＬＥＤ（２）が点灯する時間を表示するライトとを具え、さらに、ＬＥＤ（２）を自動的に点灯する運動センサと、ＬＥＤ（２）を支持される靴の面の大きさと協調して作動させるようにした、カバー（１）により支持された面の大きさを読み取る光電センサとを組み込むことができる。記載したこれらすべての付属物は、現在の技術水準において知られており、本明細書では詳述しない。
【００３６】
本発明の抗菌性マットは、任意のタイプの閉じられた空間、すなわち、一戸建て住宅、病院、ホテル、または本発明を使用できるその他の領域に持ち込まれ得る細菌を可能な限り最大限減らすことができる。さらに、靴がユーザによって使用されていない時にも、クローゼットの内部など、靴の配置のために使用できる。
【００３７】
現在の技術水準において知られたマットと違い、本発明の抗菌性マットの目的は、細菌の巣または繁殖場所にならないようにすることよりもむしろ、細菌が繁殖または休眠するのを防ぐことにある。
【００３８】
本発明の抗菌性マットは、入口で靴を慣例的に脱ぐ者および入室前に靴を脱がない者、両者にとって有益である。
【００３９】
第１のケースでは、これらの者は、たいてい外履きの靴を置くクローゼットを有しており、このクローゼットには、常に細菌はいない。第２のケースでは、靴が細菌を運ばないため、ユーザは問題なく入ることができる。
【００４０】
抗菌性マットは、マットを踏んで入室することを必然的に意味しており、その時に細菌を殺菌する時間が５秒であるため、ユーザにとって非常に快適である。
【００４１】
本発明の抗菌性マットを製造するために使用する材料だけでなく、その細部構成、形状、寸法およびその他の付属要素は、技術的に均等であり、本発明の本質的な性質および以下に含まれる請求項から逸脱しない別のものに適当に代替できる。
【図１】
2018510753.tif 000003
【図２】
2018510753.tif 000004
【国際調査報告】
2018510753.tif 000005
2018510753.tif 000006
2018510753.tif 000007
2018510753.tif 000008